【事件の表示】
　特許第６０９７５３９号発明「情報処理システム、情報処理方法、および、情報処理プログラム」の特許異議申立事件について、次のとおり決定する。
【結　論】
　特許第６０９７５３９号の請求項に係る特許を維持する。
【理　由】
第１　手続の経緯
 
　特許第６０９７５３９号の請求項１〜１３に係る特許についての出願は、平成２４年１２月７日に特許出願され、平成２９年２月２４日にその特許権の設定登録がされ、その後、その特許に対し、特許異議申立人久門享（以下、「特許異議申立人」という。）により特許異議の申立てがされたものである。
    　
第２　本件発明
 
　特許第６０９７５３９号の請求項１〜１３の特許に係る発明は、それぞれ、その特許請求の範囲の請求項１〜１３に記載された事項により特定される次のとおりのものである。
「【請求項１】
　予め設定された訪問先に関する位置情報と移動情報と時刻とを含む団体行動に関する情報であって、団体行動すべき団体行動時間が定義された旅行商品情報を記憶する旅行商品情報記憶手段と、
　入力部を介して入力された検索条件に基づいて、上記旅行商品情報記憶手段に記憶された上記旅行商品情報を検索する旅行商品情報検索手段と、
　上記旅行商品情報検索手段により検索された上記旅行商品情報に含まれる上記団体行動時間以外の自由行動時間を特定する特定手段と、
　上記特定手段により特定された上記自由行動時間における追加旅行情報を検索するための追加検索条件の入力を受け付ける受付手段と、
　上記受付手段により受け付けられた上記追加検索条件に基づいて、上記追加旅行情報を取得する追加旅行情報取得手段と、
　上記旅行商品情報検索手段により検索された上記旅行商品情報、および、上記追加旅行情報取得手段により取得された上記追加旅行情報を含む出力情報を生成し、出力する出力情報出力手段と、
　を備えたことを特徴とする、情報処理システム。
【請求項２】
　請求項１に記載の情報処理システムであって、
　上記追加旅行情報取得手段は、
　上記追加検索条件に基づいて、上記自由行動時間における案内経路である自由行動時間経路を探索し、当該自由行動時間経路に関する経路情報である自由行動時間経路情報を含む上記追加旅行情報を取得することを特徴とする、情報処理システム。
【請求項３】
　請求項１または２に記載の情報処理システムであって、
　上記旅行商品情報は、
　予め上記自由行動時間が定義され、または、制御部により上記自由行動時間が判定されることを特徴とする、情報処理システム。
【請求項４】
　請求項１または２に記載の情報処理システムであって、
　上記出力情報は、
　更に、上記自由行動時間を含み、
　上記出力情報出力手段は、
　上記出力情報に含まれる上記自由行動時間、または、上記追加旅行情報を、区別可能な表示態様で表示部に表示させることを特徴とする、情報処理システム。
【請求項５】
　請求項２に記載の情報処理システムであって、
　上記情報処理システムは、
　上記追加旅行情報を記憶する追加旅行情報記憶手段、
　を更に備え、
　上記追加旅行情報取得手段は、
　更に、取得した上記追加旅行情報に基づく上記自由行動時間経路の終点から、当該追加旅行情報に基づく上記自由行動時間直後の上記団体行動時間において、上記位置情報に基づく最初の上記訪問先への移動が、間に合うか否か判定し、間に合う場合、当該追加旅行情報を上記追加旅行情報記憶手段に格納することを特徴とする、情報処理システム。
【請求項６】
　請求項１乃至５のいずれか一つに記載の情報処理システムであって、
　上記出力情報は、
　更に、上記旅行商品情報、または、上記追加旅行情報に関連するクーポン、提携施設、および／もしくは、割引に関するおすすめ情報を含むことを特徴とする、情報処理システム。
【請求項７】
　請求項１乃至６のいずれか一つに記載の情報処理システムであって、
　上記追加旅行情報取得手段は、
　更に、取得した上記追加旅行情報を旅行商品提供元に送信することを特徴とする、情報処理システム。
【請求項８】
　請求項２に記載の情報処理システムであって、
　上記情報処理システムは、
　上記追加旅行情報を記憶する追加旅行情報記憶手段、
　を更に備え、
　上記追加旅行情報取得手段は、
　更に、旅行商品提供元から、上記旅行商品情報検索手段により検索された上記旅行商品情報に基づく旅行商品の購入確定情報を受信した場合、当該購入確定情報に基づく購入者ＩＤと当該旅行商品情報と上記追加旅行情報とを対応付けて上記追加旅行情報記憶手段に格納することを特徴とする、情報処理システム。
【請求項９】
　端末装置に通信可能に接続されたサーバを、
　予め設定された訪問先に関する位置情報と移動情報と時刻とを含む団体行動に関する情報であって、団体行動すべき団体行動時間が定義された旅行商品情報を記憶する旅行商品
情報記憶手段、
　上記端末装置の入力部を介して入力された検索条件に基づいて、上記旅行商品情報記憶手段に記憶された上記旅行商品情報を検索する旅行商品情報検索手段、
　上記旅行商品情報検索手段により検索された上記旅行商品情報に含まれる上記団体行動時間以外の自由行動時間を特定する特定手段、
　上記端末装置にて、上記特定手段により特定された上記自由行動時間における追加旅行情報を検索するための追加検索条件の入力が受け付けられた場合、受け付けられた上記追加検索条件に基づいて、上記追加旅行情報を取得する追加旅行情報取得手段、
　上記旅行商品情報検索手段により検索された上記旅行商品情報、および、上記追加旅行情報取得手段により取得された上記追加旅行情報を含む出力情報を生成する出力情報生成手段、
　上記出力情報を送信する出力情報送信手段、
　として機能させることを特徴とする情報処理プログラム。
【請求項１０】
　通信可能に接続された複数の情報処理装置によって構成される情報処理システムを、
　予め設定された訪問先に関する位置情報と移動情報と時刻とを含む団体行動に関する情報であって、団体行動すべき団体行動時間が定義された旅行商品情報を記憶する旅行商品情報記憶手段と、
　入力部を介して入力された検索条件に基づいて、上記旅行商品情報記憶手段に記憶された上記旅行商品情報を検索する旅行商品情報検索手段と、
　上記旅行商品情報検索手段により検索された上記旅行商品情報に含まれる上記団体行動時間以外の自由行動時間を特定する特定手段と、
　上記特定手段により特定された上記自由行動時間における追加旅行情報を検索するための追加検索条件の入力を受け付ける受付手段と、
　上記受付手段により受け付けられた上記追加検索条件に基づいて、上記追加旅行情報を取得する追加旅行情報取得手段と、
　上記旅行商品情報検索手段により検索された上記旅行商品情報、および、上記追加旅行情報取得手段により取得された上記追加旅行情報を含む出力情報を生成し、出力する出力情報出力手段と、
　として機能させるための情報処理プログラムであって、
　上記複数の情報処理装置のうち１つの情報処理装置を、
　上記手段のうち１つまたは複数の手段として機能させるための情報処理プログラム。
【請求項１１】
　通信可能に接続された複数の情報処理装置によって構成される、請求項１乃至８のいずれか一つに記載の情報処理システムを機能させるための情報処理プログラムであって、
　上記複数の情報処理装置のうち１つの情報処理装置を、
　上記手段のうち１つまたは複数の手段として機能させるための情報処理プログラム。
【請求項１２】
　コンピュータを、
　予め設定された訪問先に関する位置情報と移動情報と時刻とを含む団体行動に関する情報であって、団体行動すべき団体行動時間が定義された旅行商品情報を記憶する旅行商品情報記憶手段、
　入力部を介して入力された検索条件に基づいて、上記旅行商品情報記憶手段に記憶された上記旅行商品情報を検索する旅行商品情報検索手段、
　上記旅行商品情報検索手段により検索された上記旅行商品情報に含まれる上記団体行動時間以外の自由行動時間を特定する特定手段、
　上記特定手段により特定された上記自由行動時間における追加旅行情報を検索するための追加検索条件の入力を受け付ける受付手段、
　上記受付手段により受け付けられた上記追加検索条件に基づいて、上記追加旅行情報を取得する追加旅行情報取得手段、
　上記旅行商品情報検索手段により検索された上記旅行商品情報、および、上記追加旅行情報取得手段により取得された上記追加旅行情報を含む出力情報を生成し、出力する出力情報出力手段、
　として機能させることを特徴とする情報処理プログラム。
【請求項１３】
　旅行商品情報検索手段が、入力部を介して入力された検索条件に基づいて、記憶部に記憶された予め設定された訪問先に関する位置情報と移動情報と時刻とを含む団体行動に関する情報であって、団体行動すべき団体行動時間が定義された旅行商品情報を検索するステップと、
　特定手段が、上記旅行商品情報検索手段により検索された上記旅行商品情報に含まれる上記団体行動時間以外の自由行動時間を特定するステップと、
　受付手段が、上記特定手段により特定された上記自由行動時間における追加旅行情報を検索するための追加検索条件の入力を受け付けるステップと、
　追加旅行情報取得手段が、上記受付手段により受け付けられた上記追加検索条件に基づいて、上記追加旅行情報を取得するステップと、
　出力情報出力手段が、上記旅行商品情報検索手段により検索された上記旅行商品情報、および、上記追加旅行情報取得手段により取得された上記追加旅行情報を含む出力情報を生成し、出力するステップと、
　を備えることを特徴とする情報処理方法。」
第３　申立理由の概要
 
　特許異議申立人は、次の１、２の申立理由を主張している。
１　請求項１〜１３に係る特許は、主たる証拠として特開２００２−１３２８７７号公報（以下「甲１」という。）、従たる証拠として特開２００３−３０２８７号公報（以下「甲２」という。）、従たる証拠として特開２００２−１９７１５０号公報（以下「甲３」という。）、従たる証拠として特開平９−１９８４３９号公報（以下「甲４」という。）に基づき、同法第２９条第２項の規定に違反してされたものであるから、請求項１〜１３に係る特許を取り消すべきものである。（以下、「申立理由１」という）
２　請求項１〜１３に係る特許は、同法第１７条の２第３項の要件を満たしていないものであるから、請求項１〜１３に係る特許を取り消すべきものである。（以下、「申立理由２」という）
    　
第４　刊行物の記載について
１　甲１（特開２００２−１３２８７７号公報）について
　甲１には、以下の発明が記載されている。（以下「甲１発明」という。）
　
「初期入力画面には、出発地，出発日，旅行期間，予算，及び目的地を入力する欄が設けられ、
　必要事項を入力し、検索実行ボタン５１がクリックされると、初期入力画面への入力事項に応じて予め設定されている基本旅程表が表示され、
　基本旅程表には、各日にちにおける旅行を構成するパーツ部分と、そのパーツ部分に使用する素材業者１１（例えば使用する飛行機の便やホテル）とが予め選択されており、
　一日観光に対応するパーツ番号４や一日自由行動に対応する「−」等をクリックすると、そのパーツ部分を一日自由行動に変更したり他のオプショナルツアーに変更したりすることができる
　旅行手配システム」
２　甲２（特開２００３−３０２８７号公報）について
　甲２には、以下の技術事項が記載されている。
「【００６９】「オプションツアーデータベース」は、国，都市毎に区分して記録されており、「オプションツアー名」，「予算」，「実施日」，「所要時間」，「集合時間」，「実施人数」，「食事」，「主催」，「注意事項」，「ツアー説明」，「イメージ画像」，「リンク情報」等の項目が記録されている。
【００７０】図１０はオプションツアー表示画面の一例を示した図であり、データベース登録作業者が登録内容の確認に用いると共に、支店において担当者や顧客の閲覧に供して、オプションツアーの詳しい内容を調べる際にも用いられる。
【００７１】(41)は都市指定欄であり、オプションツアーが行われる都市を選択可能となっている。(42)はオプションツアーリスト欄であり、都市指定欄(41)で指定した都市で利用可能なオプションツアーが一覧表示される。
【００７２】オプションツアー説明欄(43)には、選択されたオプションツアー名，予算，実施日，所要時間，実施人数，食事，主催，注意事項，ツアー説明が表示される。イメージ表示欄(44)には選択されたオプションツアーのイメージ画像や音声付き動画等が表示される。」
３　甲３（特開２００２−１９７１５０号公報）について
　甲３には、以下の技術事項が記載されている。
「【００２７】旅行スケジュールの作成を開始する前に、ステップ６８で、スケジューリングの方法が選択される。本例では、最短コースを巡る方法ａと、ユーザが選択した順に巡る方法（嗜好に沿ったコース）ｂのいずれかが選択できるようになっており、ユーザがいずれかを選択するとスケジュール作成をスタートする。最短コースを巡る方法ａが選択されると、まず、ステップ６９で、スケジュール作成部１４が移動時間取得部１３を介して出発地と訪問候補地が経路探索エンジン２４に提供され、出発地から最も早く到達できる訪問候補地が次の移動先としてセットされる。次に、その訪問候補地から最も早く到達できる訪問候補地が次の移動先としてセットされ、最終的には、出発地から訪問候補地を巡って到着地に最短で到達できるようにように経路が決定される。
【００２８】そして、ステップ７１で、スケジュール作成部１４が、ステップ６６で取得された各訪問候補地の予想所要時間Ｓと、ステップ６９で取得された最短経路の予想移動時間Ｔとが組み合わされて旅行スケジュール（旅行プラン）３０を作成し、その旅行プランをユーザの端末３または２に出力する。ステップ７２で、出力された旅行スケジュール３０の内容で良いとユーザが判断すると、ステップ７３で、作成した旅行スケジュール３０をスケジュールＤＢ２２に保管する。」
４　甲４（特開平９−１９８４３９号公報）について
　甲４には、以下の技術事項が記載されている。
「【００５１】また、本実施形態では旅行計画を図７に示すように、具体的な立寄り場所を明示した状態でユーザに提示したが、旅行計画の立寄り場所を『映画』、『夕食』、『ショッピング』等の施設種別で表示し、別途、各施設種別に対応する詳細な情報を表示するようにしてもよい。このような表示を行うことによって、旅行計画が簡潔に表示されるので該旅行計画の全体像がより容易に把握できる。また、立寄り場所の詳細（例えば、具体的な施設やそのサービス内容、広告等）が表示されることによって、具体的に旅行計画を取得することができる。」
第５　判断
１　申立理由１について
（１）　請求項１に係る発明について
　請求項１に係る発明と、甲１発明を対比すると、以下の点で相違する。
　相違点１
　請求項１に係る発明の『旅行商品情報』は、『団体行動に関する情報であって、団体行動すべき団体行動時間が定義された旅行商品情報』であるのに対し、甲１発明の「基本旅程表」は、『団体行動に関する情報であって、団体行動すべき団体行動時間が定義された旅行商品情報』であるのか特定されていない点。
　相違点２
　請求項１に係る発明では、『自由行動時間における追加旅行情報を検索するための追加検索条件の入力を受け付ける受付手段』を備えているのに対し、甲１発明では、一日自由行動を他のオプショナルツアーに変更するものの、その手段については特定されていない点。
　以下、上記相違点について検討する。
　相違点１について
　甲１発明は、甲１の【００４８】に記載されるように「先ず目的地等に応じて既定の基本旅程表を表示し（Ｓ３）、その旅程表を構成するパーツ部分の内、顧客２１の希望にそぐわないもの、または、上記パーツ部分の満席のないものを個々に変更することにより（Ｓ４〜Ｓ７）、顧客２１の希望通りの旅行予定を容易に作成することができる。」というものである。
　そして、変更されるパーツ部分には、甲１の【００４０】や【００４３】を参照すれば、旅行の移動手段や一日観光も含まれている。
　ここで、甲１発明の「基本旅程表」を『団体行動に関する情報であって、団体行動すべき団体行動時間が定義された旅行商品情報』にし得るか否かについて検討すると、先ず一般的な団体ツアーであれば、団体行動すべき団体行動部分は、顧客が自由に変更可能なものとは認められない。
　また、甲１の【００５６】に「旅行予定表示手段が最初に表示する旅行予定は、全てのパーツ部分が白紙状態のものであってもよい」と記載されているように、甲１発明の「基本旅程表」は、最終的に全てのパーツを変更可能なものであるから、元の「基本旅程表」とは、もはや別物の「基本旅程表」を作成することも可能である。このように甲１発明の「基本旅程表」は、顧客の希望通りに旅行予定を変更できなければならず、一般的な団体ツアーのように団体行動すべき団体行動時間が定義されたものとするには阻害要因があるといえる。
　そうすると、甲１発明の「基本旅程表」を、『団体行動に関する情報であって、団体行動すべき団体行動時間が定義された旅行商品情報』にすることは、当業者といえども容易に想到し得るものではない。
　相違点２について
　甲２には、「オプションツアーデータベース」の内容や、「オプションツアーが行われる都市を選択可能」である技術事項が記載されているが、請求項１に係る発明における「追加旅行情報」と、甲２の「オプションツアー」が対応するとしても、甲２には、「オプションツアー」を検索することは記載されていない。
　そうすると、甲１発明に甲２に記載された技術事項を適用しても、相違点２に係る『追加旅行情報を検索するための追加検索条件の入力を受け付ける受付手段』を備える構成には至らない。
　また、甲３、甲４にも、相違点２に係る『追加旅行情報を検索するための追加検索条件の入力を受け付ける受付手段』について記載されていない。
　したがって、請求項１に係る発明は、当業者であっても、甲１発明、及び甲２〜甲４に記載された技術事項から当業者が容易になし得るものではない。
（２）　請求項２〜１３に係る発明について
　請求項２〜８に係る発明も、請求項１に係る発明が備える上記相違点１及び相違点２に係る構成と同一の構成を備えるものであり、請求項１に係る発明と同じ理由により、当業者であっても、甲１発明、及び甲２〜甲４に記載された技術事項に基づいて容易に発明できたものとはいえない。
　請求項９〜１２に係る発明は、請求項１の情報処理システムをプログラムとして請求するものであって、上記相違点１及び相違点２と同一の構成に相当する構成を備えるものであるから、当業者であっても、甲１発明、及び甲２〜甲４に記載された技術事項に基づいて容易に発明できたものとはいえない。
　請求項１３に係る発明は、請求項１の情報処理システムを方法として請求するものであって、上記相違点１及び相違点２と同一の構成に相当する構成を備えるものであるから、当業者であっても、甲１発明、及び甲２〜甲４に記載された技術事項に基づいて容易に発明できたものとはいえない。
２　申立理由２について
　申立理由２の具体的な内容は、請求項１〜１３には、『団体行動に関する情報であって、団体行動すべき団体行動時間が定義された旅行商品情報』が規定されているが、願書に最初に添付された明細書、特許請求の範囲、又は、図面（以下、「当初明細書等」という。）には、旅行商品情報に団体行動に関する情報であって、団体行動すべき団体行動時間が定義されていることは記載されていないというものである。
　ここで、当初明細書等を参照すると、【００８４】には「図３は、
本実施形態における旅行商品情報（旅行商品データ）の一例を表しており
旅行商品データは、同行者が同じ行動をするために決められた移動または位置および時刻を伴う固定行動時間（ツアースケジュールに組み込まれたバス移動、昼食、夕食、または、朝食等の時間）が定義されている。
　そして、「同行者が同じ行動をするために決められた移動または位置および時刻を伴う固定行動時間」は、『団体行動すべき団体行動時間』であることは明らかであるから、請求項１〜１３において規定された『団体行動に関する情報であって、団体行動すべき団体行動時間が定義された旅行商品情報』は、当初明細書等に記載された範囲内のものである。
第６　むすび
　したがって、特許異議の申立ての理由及び証拠によっては、請求項１〜１３に係る特許を取り消すことはできない。　
　また、他に請求項１〜１３に係る特許を取り消すべき理由を発見しない。
　よって、結論のとおり決定する。
【異議決定日】
平成２９年１１月２４日（２０１７．１１．２４）